(57)【要約】【課題】  高速道路に併設されたサービスエリアやパーキングエリアに進入した場合におけるリルート処理に関する制御を適切に行えるようにする。【解決手段】  ルート案内中に高速道路を走行している場合には、施設情報参照部１１３が、地図情報ＤＢ１０５の高速施設情報を参照する。施設進入判別部１１４は、ＧＰＳ部１０７を通じて測位された現在位置に基づいて、当該高速道路に併設された施設に進入したか否かを判別する。ここで進入したと判別されると、複雑施設判別部１１５が、施設情報参照部１１３で参照した施設情報に基づいて、当該施設は退出ルートが複数存在する複雑な施設か否かを判別する。リルート制御部１１６は、複雑施設判別部１１５での判別結果に応じて、リルート処理に関する制御を変える。【選択図】図１
2020112482.tif 000002
【特許請求の範囲】
【請求項１】
出発地から目的地までのルートを探索し、探索した当該ルートを辿って目的地に向かうようにルート案内を行うナビゲーション装置であって、
探索されたルートに従って高速道路を走行している場合に、地図情報に含まれる情報であって、測位された現在位置近傍の当該高速道路に併設された施設に関する施設情報を参照する参照手段と、
測位された現在位置に基づいて、当該高速道路に併設された施設に進入したか否かを判別する進入判別手段と、
当該高速道路の施設に進入したと判別された場合に、前記参照手段で参照した前記施設情報に基づいて、当該施設は退出ルートが複数存在する複雑な施設か否かを判別する施設判別手段と、
前記施設判別手段での判別結果に応じて、リルート処理に関する制御を変えるようにするリルート制御手段と
を備えることを特徴とするナビゲーション装置。
【請求項２】
請求項１に記載のナビゲーション装置であって、
前記進入判別手段は、前記施設情報に含まれる本線脱出リンクを示す情報により特定される走行路を走行したと判別できた場合に、前記施設に進入したと判別する
ことを特徴とするナビゲーション装置。
【請求項３】
請求項１または請求項２に記載のナビゲーション装置であって、
前記リルート制御手段は、前記施設判別手段により、当該施設は複雑な施設でないと判別された場合には、リルート処理を行わないか、リルート処理を行って、リルート処理を行ったことを音声により通知しないか、あるいは、リルート処理を行って、ルートから外れたわけではない旨の通知を行うかのいずれかの対応を取るように制御する
ことを特徴とするナビゲーション装置。
【請求項４】
請求項３に記載のナビゲーション装置であって、
前記リルート制御手段は、前記施設判別手段により、当該施設は複雑な施設であると判別された場合には、リルート処理を行い、目的地へのルート案内を行うように制御する
ことを特徴とするナビゲーション装置。
【請求項５】
出発地から目的地までのルートを探索し、探索した当該ルートを辿って目的地に向かうようにルート案内を行うナビゲーション装置で用いられるナビゲーション方法であって、
探索されたルートに従って高速道路を走行している場合に、参照手段が、地図情報に含まれる情報であって、測位された現在位置近傍の当該高速道路に併設された施設に関する施設情報を参照する参照工程と、
進入判別手段が、測位された現在位置に基づいて、当該高速道路に併設された施設に進入したか否かを判別する進入判別工程と、
当該高速道路の施設に進入したと判別された場合に、施設判別手段が、前記参照工程で参照した前記施設情報に基づいて、当該施設は退出ルートが複数存在する複雑な施設か否かを判別する施設判別工程と、
前記施設判別工程での判別結果に応じて、リルート制御手段が、リルート処理に関する制御を変えるようにするリルート制御工程と
を有することを特徴とするナビゲーション方法。
【請求項６】
出発地から目的地までのルートを探索し、探索した当該ルートを辿って目的地に向かうようにルート案内を行うナビゲーション装置に搭載されたコンピュータで実行されるナビゲーションプログラムであって、
探索されたルートに従って高速道路を走行している場合に、地図情報に含まれる情報であって、測位された現在位置近傍の当該高速道路に併設された施設に関する施設情報を参照する参照ステップと、
測位された現在位置に基づいて、当該高速道路に併設された施設に進入したか否かを判別する進入判別ステップと、
当該高速道路の施設に進入したと判別した場合に、前記参照手段で参照した前記施設情報に基づいて、当該施設は退出ルートが複数存在する複雑な施設か否かを判別する施設判別ステップと、
前記施設判別ステップでの判別結果に応じて、リルート処理に関する制御を変えるようにするリルート制御ステップと
を備えることを特徴とするナビゲーションプログラム。
【発明の詳細な説明】
【技術分野】
【０００１】
この発明は、例えば、高速道路に併設された休憩施設であるサービスエリアやパーキングエリアに進入した場合に、リルート処理に関する制御を行うナビゲーション装置、方法、プログラムに関する。
【背景技術】
【０００２】
自動車用のナビゲーション装置が広く普及し、多くの自動車で利用されている。そして、ナビゲーション装置については、種々の改良がなされている。例えば、後に記す特許文献１には、自動車が高速道路のサービスエリア或いはパーキングエリアに進入した場合に、本線に戻るまでの間、マップマッチング機能を停止させるようにする発明が開示されている。この発明により、サービスエリアやパーキングエリアに進入した自動車の現在位置が、高速道路上や高速道路近傍の一般道路上に補正されることを防止し、自動車の現在を適切に把握して、適切にルート案内を継続させることができる。
【先行技術文献】
【特許文献】
【０００３】
【特許文献１】特開平８−２９２０４３号公報
【発明の概要】
【発明が解決しようとする課題】
【０００４】
近年においては、自動車が高速道路のサービスエリア或いはパーキングエリアに進入した場合のリルート処理に関する制御が問題になっている。すなわち、高速道路を走行するルートを案内中に、高速道路の本線から外れてサービスエリアやパーキングエリアに立ち寄ったとする。この場合、ルートを外れたのでリルートを行うようにした方がよいのか、普通は本線に戻るのだからリルートを行わないようにした方がよいのか、という問題が生じるのである。
【０００５】
例えば、リルートを行わないようにした場合には、進入したサービスエリアやパーキングエリアに高速道路の出口（インターチェンジ）や他の高速道路への乗り換え経路（ジャンクション）が存在した場合には、適切なルート案内ができなくなる可能性がある。この場合は、現在位置を出発地として目的地までのルートを探索して設定し直すなどの対応が必要になってしまう。
【０００６】
これとは逆に、リルートを行うようにした場合には、進入したサービスエリアやパーキングエリアに高速道路の出口（インターチェンジ）や他の高速道路への乗り換え経路（ジャンクション）が存在しなくても、リルートを行った旨の通知がなされる。また、リルートを行って、インターチェンジやジャンクションを利用するルートを案内する場合にも、ルートが変わったので、リルートを行った旨の通知を行ったのでは、ルートが変わったとの意識のない使用者にとっては違和感が生じることになる。
【０００７】
以上のことに鑑み、この発明は、高速道路に併設されたサービスエリアやパーキングエリアに進入した場合におけるリルート処理に関する制御を適切に行えるようにすることを目的とする。
【課題を解決するための手段】
【０００８】
上記課題を解決するため、この発明のナビゲーション装置は、
出発地から目的地までのルートを探索し、探索した当該ルートを辿って目的地に向かうようにルート案内を行うナビゲーション装置であって、
探索されたルートに従って高速道路を走行している場合に、地図情報に含まれる情報であって、測位された現在位置近傍の当該高速道路に併設された施設に関する施設情報を参照する参照手段と、
測位された現在位置に基づいて、当該高速道路に併設された施設に進入したか否かを判別する進入判別手段と、
当該高速道路の施設に進入したと判別された場合に、前記参照手段で参照した前記施設情報に基づいて、当該施設は退出ルートが複数存在する複雑な施設か否かを判別する施設判別手段と、
前記施設判別手段での判別結果に応じて、リルート処理に関する制御を変えるようにするリルート制御手段と
を備えることを特徴とする。
【発明の効果】
【０００９】
この発明によれば、高速道路を走行している場合に、本線から離脱して高速道路に併設された施設に進入した場合に、当該施設が複数の退出ルートを有する複雑な施設か否かに応じて、リルート処理に関する制御を変えることができる。これにより、必要に応じて適切にリルート処理を実行し、また、リルート処理に関して必要な案内を行うようにできる。
【図面の簡単な説明】
【００１０】
【図１】実施の形態のナビゲーション装置の構成例を説明するためのブロック図である。
【図２】道路ネットワークデータベースに格納される情報について説明するための図である。
【図３】地図情報に含まれる高速道路施設情報のＳＡＰＡ情報（サービスエリア・パーキングエリア情報）の例について説明するための図である。
【図４】図３に示したＳＡＰＡ情報に対応したサービスエリア近傍の道路の状態を示す図である。
【図５】実施の形態の車載装置で実行されるナビゲーション処理を説明するためのフローチャートである。
【図６】実施の形態のナビゲーション装置の他の例を説明するためのブロック図である。
【図７】実施の形態のナビゲーション装置の他の例を構成する携帯端末の構成例を説明するためのブロック図である。
【発明を実施するための形態】
【００１１】
以下、図を参照しながら、この発明の装置、方法、プログラムの実施の形態について説明する。この発明は、自動車に据え付けられる車載用ナビゲーション装置にも、また、スマートホンなどと呼ばれる高機能携帯電話端末やタブレットＰＣ（Personal Computer）などの携帯端末により実現されるナビゲーション装置にも適用できる。以下においては、まず、車載用ナビゲーション装置に適用した場合を例にして、この発明の装置、方法、プログラムについて説明し、その後に、携帯端末により実現されるナビゲーション装置に対して、この発明を適用した例について説明する。
【００１２】
［車載用ナビゲーション装置の構成例］
図１は、この発明の装置、方法、プログラムの一実施の形態が適用された車載用ナビゲーション装置（以下、車載装置と記載する。）の構成例を説明するためのブロック図である。この実施の形態の車載装置１は、単体で自動車用のナビゲーション機能（ルート案内機能）を実現できるものである。すなわち、車載装置１は、出発地及び目的地の他、必要な場合には１以上の経由地の入力を受け付けて、出発地から目的地までのルート探索を行い、当該探索されたルートを辿って目的地に向かうように案内できる機能を備える。
【００１３】
図１は、車載装置１の構成を説明するためのブロック図である。交通情報受信アンテナ１０１Ａ及び交通情報受信部１０１は、例えば、ＦＭ放送に多重化されている交通情報を受信して、自機で利用可能な情報に変換する機能を有する。また、交通情報受信部１０１は、高速道路上において電波ビーコンとして送信されている交通情報を受信して利用可能にしたり、主要幹線道路において光ビーコンとして送信されている交通情報を受信して利用可能にしたりする機能を備える場合もある。
【００１４】
制御部１０２は、図示しないが、ＣＰＵ（Central Processing Unit）、ＲＯＭ（Read Only Memory）、ＲＡＭ（Random Access Memory）、不揮発性メモリなどが接続されて構成されたいわゆるマイクロプロセッサである。制御部１０２は、種々のプログラムを実行して車載装置１の各部を制御する。操作部１０３は、電源のオン／オフボタンや幾つかのファンクションボタンなど、複数のいわゆるハードウェアキーを備え、使用者からの指示入力を受け付ける。記憶装置１０４は、ハードディスクとそのドライバとを備え、データの書き込み、読み出し、書き換え、削除などを行う。また、記憶装置１０４は、種々の処理の途中結果を保持する作業領域としても用いられる。
【００１５】
地図情報ＤＢ（Data Base）１０５は、経路案内にも利用可能な市街図、道路図、広域図、地方図、全国図を表示するための地図情報を記憶する。市街図、道路図、広域図、地方図、全国図を表示するための地図情報は、地図を描画するための例えばベクトルデータやラスタデータ、注記（注釈）データなどを含む。また、詳しくは後述もするが、地図情報ＤＢ１０５は、高速道路に付随する施設に関する情報をからなる高速施設情報を保持し、高速道路に付随する施設に関する情報の提供もできるようになっている。
【００１６】
道路ＮＷＤＢ（Network Data Base）１０６は、経路探索に用いられる道路に関するネットワークデータを記憶保持する。図２は、道路ＮＷＤＢ１０６に格納される自動車用のネットワークデータの例を説明するための図である。図２（Ａ）は、ネットワークの一例を示している。ネットワークデータは、ノードデータとリンクデータとからなる。ノードデータは、ランドマーク、建物、施設、交差点、分岐点などの地点を表す。また、リンクデータは、ノードデータを結ぶ線分によって、国道、県道などの自動車が通行可能な道路などを示す。図２（Ａ）に示したネットワークの例は、４つのノードデータ（Ｎ１〜Ｎ４）と４つのリンクデータ（Ｌ１〜Ｌ４）とによって構成されている。
【００１７】
図２（Ｂ）は、図２（Ａ）に示した例のネットワークの場合のノードデータの構成を示している。各ノードデータには、各ノードの識別情報（Ｎ１、Ｎ２、…）と、そのノードの位置を示す緯度、経度情報とが対応付けられている。図２（Ｂ）に示した例は、図２（Ａ）に示したように、ノードＮ１〜Ｎ４はリンクの交差部分であり全て交差点である。なお、ノードデータにおいて、ノードごとに各ノードが交差点、分岐点などのどれであるかを示すノード種別を対応付けておくこともできる。このようにした場合には、ノードデータのノード種別により各ノードがどのようなノードなのかを把握できる。
【００１８】
図２（Ｃ）は、図２（Ａ）に示した例のネットワークの場合のリンクデータの構成を示している。各リンクデータには、各リンクの識別情報（Ｌ１、Ｌ２、…）と、そのリンクを構成するノードの識別情報（Ｎ１、Ｎ２、…）と、リンクコストと、種別と、道路名称と、道路番号と、その他とが対応付けられている。通常、リンクコストは、そのリンクの長さ（距離）、あるいは、通行に要する時間によって定められる。
【００１９】
そして、リンクコストは、例えばダイクストラ法により、リンクコストが最小となるルート（経路）を探索する場合に参照される。種別は、当該リンク部分が、国道、県道、市道、私道などのどれであるかを示すものである。道路名称は、例えば、「○○街道」、「□□通り」、「△△道路」といった、対応するリンクが構成する道路に付けられている名称を示す。また、道路番号は、対応するリンクが構成する道路に付けられている番号を示す。その他の情報としては、車線数や通常上の規制情報など、必要情報を保持することが可能である。
【００２０】
この図２を用いて説明したような、リンクデータとノードデータとが道路ＮＷＤＢ１０６に格納されている。なお、地図情報ＤＢ１０５や道路ＮＷＤＢ１０６に格納されているデータについては、変更が生じるごとに必要なタイミングで更新され、正確な情報が管理できるようになっている。なお、ネットワークデータの例として、リンクデータとノードデータからなる道路ネットワークデータについて説明したが、経路探索に利用可能であり、道路に関する情報を記憶保持できるデータであれば、これに限られない。
【００２１】
ＧＰＳアンテナ１０７Ａ及びＧＰＳ部１０７は、自機の現在位置を測位する機能を実現する。また、車載装置１は、ユーザインターフェースとして、タッチパネル１０８を備える。タッチパネル１０８は、ＬＣＤ（Liquid Crystal Display）などの薄型の表示部（表示装置）１０８Ｄの表示画面の全面に対応するようにタッチセンサ１０８Ｓを設けて構成されたものであり、表示機能と入力機能とを実現する。
【００２２】
従って、タッチパネル１０８の表示部にメニュー等を表示して、使用者からのタッチ入力を受け付け、その入力情報に応じた処理を制御部１０２において実行するといったことが可能にされる。また、タッチパネル１０８を通じて、出発地、目的地、必要な場合には１以上の経由地などの情報の入力も行われる。音声出力処理部１０９及びスピーカ１１０は、音声メッセージなどの出力機能を実現する。従って、音声出力処理部１０９及びスピーカ１１０を通じて、ナビゲーション処理の実行時には、音声による案内メッセージなどが放音される。
【００２３】
ルート探索部１１１は、道路ＮＷＤＢ１０６のネットワークデータを用い、設定された出発地、目的地に基づいて、また、１以上の経由地が指示された場合にはこれをも考慮して、ルート探索を行う。また、ルート探索部１１１は、交通情報受信アンテナ１０１Ａ及び交通情報受信部１０１を通じて受信した交通情報を考慮して、渋滞箇所や工事箇所を避けたルート探索をも行うことができるようになっている。
【００２４】
ルート案内処理部１１２は、表示部１０８Ｄに地図情報とルート探索部１１１でのルート探索結果とＧＰＳ部１０７を通じて測位される自機の現在位置とを表示して、ナビゲーション（経路案内）を行う。ルート案内処理部１１２は、表示部１０８Ｄに表示される表示情報だけでなく、音声出力処理部１０９及びスピーカ１１０を通じて放音する音声メッセージを併用してナビゲーションを行う。
【００２５】
施設情報参照部１１３は、地図情報ＤＢ１０５に記憶保持されている高速施設情報を参照する。具体的に、施設情報参照部１１３は、高速施設情報に含まれる情報であって、ＧＰＳ部１０７を通じて測位した自機の現在位置の近隣に位置するサービスエリアやパーキングエリアに関する情報を参照し、これを記憶装置１０４などに一時記憶させて、即座に利用可能にしておく。
【００２６】
図３は、高速施設情報に含まれるサービスエリア（ＳＡ）やパーキングエリア（ＰＡ）に関する情報（以下、ＳＡＰＡ情報と記載する。）の例を説明するための図である。オフルート点は、高速道路の本線からサービスエリアやパーキングエリアに入る分岐点を示すノードＩＤである。オフルート点のノードＩＤに基づいて、道路ＮＷＤＢ１０６を参照することによって、オフルート点の位置を示す緯度、経度を特定できる。
【００２７】
本線脱出リンクは、オフルート点から次の分岐点までを結ぶ経路（リンク）のリンクＩＤである。本線脱出リンクのリンクＩＤに基づいて、道路ＮＷＤＢ１０６を参照することによって、本線脱出リンクの始点と終点のノードが特定できる。更に、特定したノードのノードＩＤに基づいて、道路ＮＷＤＢ１０６を参照することによって、当該特定したノード（本線脱出リンクの始点の終点）の位置を示す緯度、経度も特定できる。ＳＡ（ＰＡ）名称は、当該オフルート点や本線脱出リンクを備えたサービスエリアやパーキングエリアの名称である。
【００２８】
併設情報は、当該サービスエリアやパーキングエリアには、インターチェンジやジャンクションが併設されているか否かを示す情報である。併設情報の存在形態は、これを有する地図情報のフォーマットによって様々であるが、その一例を挙げれば、インターチェンジやジャンクションが、併設されている場合には、「１（オン）」となり、併設されていない場合には「０（オフ）」となるようなフラグ（ビット）情報として表すことが可能である。この他にも、併設情報は、インターチェンジやジャンクションの併設／非併設の区別を、種々の表現形式を用いて表すことが可能である。
【００２９】
なお、この明細書においては、インターチェンジは、立体交差する道路相互間、または近接する道路相互間を連絡路によって立体的に接続する施設を意味し、主に高速道路の出口を意味する文言として用いている。また、ジャンクションは、高速道路相互を直接接続するインターチェンジのことを通常のインターチェンジの概念と区別するための用語として用いており、主に他の高速道路の乗り換え経路を意味する文言として用いている。
【００３０】
そして、この発明の場合には、当該サービスエリアやパーキングエリアからの出口として、異なるものが複数存在するか否かが問題となる。そこで、以下においては、インターチェンジ（ＩＣ）は、主に一般道路への出口を意味するものとして用い、ジャンクション（ＪＣＴ）は、他の高速道路への接続口を意味するものとして用いることとする。
【００３１】
併設施設は、例えば、レストラン、ガソリンスタンド、トイレなどの当該サービスエリアやパーキングエリアに併設されて施設には何があるかを示す情報である。ＪＣＴ情報は、ジャンクション（ＪＣＴ）が併設されている場合、どの高速道路に接続されるのかを示す情報である。また、ＩＣ情報は、インターチェンジ（ＩＣ）が併設されている場合に、どの一般道に接続されるのかを示す情報である。この他にも、その他として必要となる種々の情報を含めることができる。
【００３２】
図４は、図３に示したＳＡＰＡ情報に対応したサービスエリア近傍の道路の状態を示す図である。図４に示したように、Ａ高速道路から分岐してＢ高速道路が設けられている。Ａ高速道路には付随施設として、オフルート点をＮｘ１とし、本線脱出リンクＬｘ１を備えたサービスエリアである「○○ＳＡ」が設けられている。当該サービスエリアには、一般道への出口Ｎｘ２を備えたインターチェンジと、Ｂ高速道路への接続口Ｎｘ３を備えたジャンクションとを備えている。接続口Ｎｘ３は、Ａ高速道路の本線に復帰するためのリンクＬｘ２への分岐点にもなっている。
【００３３】
したがって、当該サービスエリアは、インターチェンジとジャンクションとを備えた複雑なサービスエリアであることが分かる。このように、高速道路に付随して設けられている休憩施設であるサービスエリア、パーキングエリアについては、図３を用いて説明したように、地図情報に含まれる高速施設情報のＳＡＰＡ情報により、オフルート点、本線脱出リンクが分かる。従って、オフルート点を通過し、本線脱出リンクを例えば所定距離以上走行した場合には、サービスエリアやパーキングエリアに進入したと確実に判別することができる。
【００３４】
また、サービスエリア、パーキングエリアについては、図３を用いて説明したように、ＳＡＰＡ情報の併設情報によって、インターチェンジとジャンクションの一方または両方が設けられた複雑な施設か否かの判別ができる。もちろん、ＪＣＴ情報やＩＣ情報を確認することによっても、ジャンクションやインターチェンジの有無を確認することができる。
【００３５】
施設進入判別部１１４は、高速道路に併設されている休憩施設であるサービスエリアやパーキングエリアに進入したか否かを判別する処理を行う。施設進入判別部１１４においては、精度よくサービスエリアやパーキングエリアに進入したか否かを判別するため、上述したように、ＳＡＰＡ情報を用いる。すなわち、自機の現在位置に基づき、近隣のＳＡＰＡ情報を参照し、オフルート点を通過し、本線脱出リンクをオフルート点から一定距離走行した場合に、対象としているＳＡＰＡ情報に対応するサービスエリアやパーキングエリアに進入したと判別する。
【００３６】
なお、本線離脱リンクは１本（単数）であるものとして説明しているが、この本線離脱リンクが種々の理由、例えば、図葉の境界付近であるために極短い場合がある。このような場合を想定して、本線離脱リンクから次の分岐点までの１以上のリンクを本線離脱リンク（本線離脱リンク列）として処理する。これにより、上述したように、オフルート点から一定距離、本線離脱リンク（本線離脱リンク列）上を走行したか否かにより、対応するサービスエリアやパーキングエリアに進入したか否かの判別を精度よく行うことができる。
【００３７】
複雑施設判別部１１５は、施設進入判別部１１４において、サービスエリアやパーキングエリアに進入したと判別された場合に、当該サービスエリアやパーキングエリアが、複数の退出ルートが存在する複雑な施設か否かを判別する。具体的には、自機が進入したと判別されたサービスエリアやパーキングエリアのＳＡＰＡ情報の併設情報を確認し、併設情報がインターチェンジやジャンクションが併設されていることを示していれば、退出ルートが複数の複雑な施設であると判別できる。逆に、併設情報が、インターチェンジやジャンクションが併設されていないことを示していれば、退出ルートが離脱した本線に戻るルートしかない単純な施設であると判別できる。
【００３８】
リルート制御部１１６は、複雑施設判別部１１５の判別結果に基づいて、ルート探索部１１１及びルート案内処理部１１２を制御することにより、リルート処理の実施／不実施を含めたリルート処理に関する総合的な制御を行う。具体的に、複雑施設判別部１１５において、自機が進入した施設が単純な施設（退出ルートが離脱した本線に復帰するルートしかない施設）であると判別されたとする。この場合には、本来のルートから外れた訳ではなく、休憩施設に立ち寄って、元のルートに復帰することになる。この場合に、リルートを行うと共に、例えば、「ルートから外れました。新しいルートでご案内します。」といった音声案内を行うと、使用者に不安感を与えたり、不要な音声案内を提供したりすることになる。
【００３９】
そこで、この場合には、リルート制御部１１６は、次の３つの内のいずれかの処理を行うように各部を制御する。（１）リルートを行わない。（２）リルートは行い、案内画面の表示も変えるが、上述したようなルートから外れた旨の音声案内は行わない。（３）リルートは行い、案内画面の表示も変えるが、「ルート外れではありません。目的地までの案内を継続します。」といった音声案内を行う。このようにすれば、使用者に不安感を与えたり、不要な音声案内を提供したりすることもない。
【００４０】
逆に、複雑施設判別部１１５において、自機が進入した施設が複雑な施設（インターチェンジやジャンクションといった退出ルートが複数存在する施設）であると判別されたとする。この場合には、目的地に向かうため、離脱した本線に戻る場合もあれば、インターチェンジを通って一般道に降りたり、ジャンクションを通って他の高速道路に乗り換えたりする場合もある。このため、リルートを行う必要性が高くなる。
【００４１】
そこで、この場合には、リルート制御部１１６は、リルートを行い、案内画面の表示も変えると共に、新たに探索されたルートに応じた案内を行う。そして、新たに探索されたルートが、離脱した本線に復帰するルートである場合には、例えば、「サービスエリア（パーキングエリア）に立ち寄りました。本線への再合流のルートを案内します。」という音声案内を提供する。また、新たに探索されたルートが、インターチェンジを通じて一般道へ降りるルートである場合には、「一般道を用いて目的地に向かうルートを案内します。」という音声案内を提供する。
【００４２】
また、新たに探索されたルートが、ジャンクションを通じて他の高速道路を利用するルートである場合には、「他の高速道路を用いて目的地に向かうルートを案内します。」という音声案内を提供する。このようにすれば、離脱した本線に戻る場合でも、また、インターチェンジやジャンクションを利用して目的地に向かう場合でも、使用者に不安感を与えたり、必要のない情報を提供したりすることなく、適切に経路案内を行うことができる。
【００４３】
なお、この実施の形態では、新たに探索されたルートがインターチェンジを通じて一般道に入る場合と、ジャンクションを通じて他の高速道路に入る場合とで提供する案内メッセージを変えるようにしたが、これに限るものではない。新たに探索されたルートが、どのようなルートであっても、「目的地に向かうルートを案内します。」という共通の案内メッセージを出力した後に、目的地に向かう案内を行うようにしてもちろんよい。
【００４４】
＜車載装置１の処理のまとめ＞
図５は、車載装置１において実行されるナビゲーション処理について説明するためのフローチャートであり、高速道路を含むルートの高速道路部分についてのルート案内中に所定のタイミングごとに実行される処理である。図５に示す処理は、制御部１０２の制御の下、施設情報参照部１１３、施設進入判別部１１４、複雑施設判別部１１５、リルート制御部１１６が機能して実行される。
【００４５】
まず、施設情報参照部１１３が機能して、ＧＰＳ部１０７を通じて測位した自機の現在位置近傍の高速施設情報を参照し、これに含まれるＳＡＰＡ情報を例えば記憶装置１０４の所定の領域に格納していつでも参照可能にしておく（ステップＳ１０１）。次に、施設進入判別部１１４が機能して、自機の現在位置と、ステップＳ１０１で記憶装置１０４に保持したＳＡＰＡ情報のオフルート点、本線脱出リンクとを用い、サービスエリアやパーキングエリアに進入したか否かを判別する（ステップＳ１０２）。
【００４６】
ステップＳ１０２の処理は、自機の現在位置に基づき、近隣のサービスエリアやパーキングエリアのオフルート点を通過し、本線離脱リンク上を所定距離分、移動したか否かを判別する処理である。ここで、現在位置の近隣にあるサービスエリアやパーキングエリアのオフルート点から本線離脱リンク上を所定距離分移動したと判別したときには、当該サービスエリアやパーキングエリアに進入したと判別できる。すなわち、サービスエリアやパーキングエリアに進入したことと、進入したサービスエリアやパーキングエリアを特定できる。
【００４７】
ステップＳ１０２の判別処理において、サービスエリアやパーキングエリアに進入していないと判別したときには、制御部１０２は、この図５に示す処理を終了し、次の実行タイミングを待つことになる。ステップＳ１０２の判別処理において、サービスエリアやパーキングエリアに進入したと判別したときには、その進入したサービスエリアやパーキングエリアが、退出ルートが複数存在する複雑な施設か否かを判別する（ステップＳ１０３）。ステップＳ１０３の判別処理は、上述もしたように、進入したサービスエリアやパーキングエリアのＳＡＰＡ情報の併設情報に基づいて、インターチェンジやジャンクションが併設された複雑な施設か、インターチェンジやジャンクションが併設されていない単純な施設かを判別する処理である。
【００４８】
ステップＳ１０３の判別処理において、進入したサービスエリアやパーキングエリアは複雑な施設であると判別したとする。この場合には、リルート制御部１１６が機能し、ルート探索部１１１を制御して、現在位置から目的地までのルートを再探索し（リルートし）、目的地に向かうルートを案内する（ステップＳ１０４）。なお、ステップＳ１０４においては、離脱した本線に戻るのか、インターチェンジから一般道に降りるのか、ジャンクションを通じて他の高速道路に乗り換えるかに応じて、音声案内の内容を変える。
【００４９】
そして、制御部１０２は、進入したサービスエリアやパーキングエリアから退出したか否かを判別する（ステップＳ１０５）。ステップＳ１０５の判別処理は、自機の現在位置を地図上に反映させることにより、判別可能である。ステップＳ１０５の判別処理において、進入したサービスエリアやパーキングエリアから退出してないと判別したときには、ステップＳ１０５の処理を繰り返し、進入したサービスエリアやパーキングエリアから退出するのを待つ。
【００５０】
ステップＳ１０５の判別処理において、進入したサービスエリアやパーキングエリアから退出したと判別したときには、ルート案内処理部１１２を制御し、通常のルート案内処理に復帰し（ステップＳ１０６）、この図５に示す処理を終了する。そして、制御部１０２は、図５に示す処理の次の実行タイミングを待つ。
【００５１】
また、ステップＳ１０３の判別処理において、進入したサービスエリアやパーキングエリアは単純な施設であると判別したとする。この場合には、リルート制御部１１６が機能し、ルート探索部１１１を制御して、上述もしたように、以下の（１）〜（３）のいずれかの処理を行うように、ルート探索部１１１、ルート案内処理部１１２を制御する（ステップＳ１０７）。すなわち、（１）リルートを行わない。（２）リルートは行い、案内画面の表示も変えるが、上述したようなルートから外れた旨の音声案内は行わない。（３）リルートは行い、案内画面の表示も変えるが、「ルート外れではありません。目的地までの案内を継続します。」といった音声案内を行う。のいずれかである。
【００５２】
なお、（１）〜（３）のいずれの処理を行うかは、車載装置の製造元において予め決められたものに設定しておく。また、使用者が自己の好みなどに応じて、変更することができるようにしてもよい。ステップＳ１０７の処理の後においては、上述したステップＳ１０５からの処理を行うようにする。
【００５３】
このように、この実施の形態の車載装置１は、高速道路を利用するルートの案内中に、走行している高速道路に付随するサービスエリアやパーキングエリアに進入したサービスエリアやパーキングエリアに応じて、リルート処理に関する制御を行うことができる。これにより、通常はルートから外れた場合に用いられるリルート処理を適切に活用し、使用者に不安感を与えたり、不要な情報を提供したりすることがないようにして、目的地までの案内を行うことができる。
【００５４】
［携帯端末により実現されるナビゲーション装置の構成例］
図６は、この発明の装置、方法、プログラムの一実施の形態が適用された携帯端末を用いて実現されるナビゲーション装置について説明するための図である。ナビゲーション装置として直接に使用者に使用されるのは、携帯端末４（１）、４（２）、…である。しかし、ルート探索を行って、ルート探索結果や必要となる地図情報や道路ネットワークデータを、ネットワーク３を通じて携帯端末４に提供するのはルート情報提供サーバ装置（以下、提供サーバと記載する）２である。すなわち、ネットワーク３を通じて接続される提供サーバ２と携帯端末４とによって、システムとしての構成を有するナビゲーション装置が実現される。
【００５５】
なお、図６において、ネットワーク３は、主にインターネットであるが、携帯端末４や提供サーバ２からインターネットまでをつなぐ携帯電話網、電話網、無線ＬＡＮ（Local Area Network）などをも含む。また、図６において、参照符号３Ｂ（１）、３Ｂ（２）は、例えば、携帯電話網の基地局や無線ＬＡＮのアクセスポイントである。
【００５６】
また、図６に示したように、提供サーバ２に対しては、ネットワーク３を通じて複数の携帯端末４（１）、４（２）、…が接続可能である。携帯端末４（１）、４（２）、…のそれぞれは、スマートホンなどと呼ばれる高機能携帯電話端末やタブレットＰＣ（Personal Compute）により実現可能である。そして、携帯端末４（１）、４（２）、…のそれぞれにおいては、ナビゲーション機能を実現するための基本的な構成は同様のものとなる。このため、以下においては、携帯端末４（１）、４（２）、…のそれぞれは同様の構成を有するものとし、携帯端末４（１）、４（２）、…のそれぞれを総称して、携帯端末４と記載する。
【００５７】
＜提供サーバ２の構成例＞
図６の提供サーバ２において、接続端２０１Ｔ及び通信Ｉ／Ｆ２０１は、ネットワーク３を通じての通信機能を実現する。制御部２０２は、図示しないが、ＣＰＵ、ＲＯＭ、ＲＡＭ、不揮発性メモリが接続されて構成されたいわゆるマイクロプロセッサであり、種々のプログラムを実行して提供サーバ２の各部を制御する。記憶装置２０３は、例えば、大容量のハードディスクとそのドライバとを備え、データの書き込み、読み出し、書き換え、削除などを行うものであり、種々の処理の途中結果を保持する作業領域としても用いられる。
【００５８】
地図情報ＤＢ２０４は、図１に示した車載装置１の地図情報ＤＢ１０５と同様に、経路案内にも利用可能な市街図、道路図、広域図、地方図、全国図を表示するための地図情報を記憶する。市街図、道路図、広域図、地方図、全国図を表示するための地図情報は、地図を描画するための例えばベクトルデータやラスタデータ、注記（注釈）データなどを含む。また、地図情報ＤＢ２０４の場合にも、高速道路に付随する施設に関する情報からなる高速施設情報を保持し、高速道路に付随する施設に関する情報の提供もできるようになっている。
【００５９】
道路ＮＷＤＢ２０５は、図２を用いて説明した車載装置１の道路ＮＷＤＢ１０６と同様のものであり、ルート探索に用いられる道路に関するネットワークデータを記憶保持する。すなわち、道路ＮＷＤＢ２０５は、ノードデータ（図２Ｂ）とリンクデータ（図２（Ｃ））とを備えたものである。
【００６０】
要求取得部２０６は、携帯端末４から送信されて来る、出発地、目的地、必要な場合には１以上の経由地を示す情報を含むルート探索要求やリルート要求を接続端２０１Ｔ及び通信Ｉ／Ｆ２０１を通じて取得する。そして、要求取得部２０６は、取得した要求に含まれる出発地、目的地、必要な場合には１以上の経由地を示す情報を抽出し、これをルート探索部２０７に設定する。
【００６１】
ルート探索部２０７は、道路ＮＷＤＢ２０５のネットワークデータを用い、設定された出発地、目的地に基づいて、また、１以上の経由地が指示された場合にはこれをも考慮して、ルート探索を行う。情報提供部２０８は、ルート探索部２０７により探索されたルートを示す情報、当該探索されたルートを案内するために必要になる地図情報や道路ネットワークデータを通信Ｉ／Ｆ２０１及び接続端２０１Ｔを通じて要求元の携帯端末に提供する処理を行う。
【００６２】
なお、情報提供部２０８が提供する地図情報は、地図情報ＤＢ２０４から抽出したものであり、高速施設情報を含むものである。また、情報提供部２０８が提供する道路ネットワークデータは、道路ＮＷＤＢ２０５から抽出したものである。これらの情報は、携帯端末４において、ルート案内のために用いられる。このため、どの範囲の地図情報や道路ネットワークデータを提供するかは、探索されたルートや携帯端末４からの要求に応じて特定される。
【００６３】
このように、提供サーバ２は、携帯端末４からの要求に応じて、ルート探索処理、リルート処理（ルートの再探索処理）を行って、探索結果やルート案内に必要となる地図情報や道路ネットワークデータを提供する機能を実現する。
＜携帯端末４の構成例＞
図７は、携帯端末４の構成例を説明するためのブロック図である。図７に示す携帯端末４において、送受信アンテナ４０１Ｔ及び無線通信部４０１は、ネットワーク３を通じての通信機能を実現する。制御部４０２は、図示しないが、ＣＰＵ、ＲＯＭ、ＲＡＭ、不揮発性メモリなどが接続されて構成されたいわゆるマイクロプロセッサであり、種々のプログラムを実行して車載装置１の各部を制御する。
【００６４】
操作部４０３は、電源のオン／オフボタンや幾つかのファンクションボタンなど、複数のいわゆるハードウェアキーを備え、使用者からの指示入力を受け付ける。記憶装置４０４は、比較的に容量の大きな半導体メモリとそのドライバとを備え、データの書き込み、読み出し、書き換え、削除などを行う。記憶装置４０４は、種々の処理の途中結果を保持する作業領域としても用いられる。
【００６５】
地図情報ＤＢ４０５は、提供サーバ２から提供される地図情報を記憶保持し、ルート案内などに利用できるようにする。道路ＮＷＤＢ４０６は、提供サーバ２から提供される道路ネットワークデータを記憶保持し、ルート案内などに利用できるようにする。ＧＰＳアンテナ４０７Ａ及びＧＰＳ部４０７は、現在位置の測位機能を実現する。
【００６６】
タッチパネル４０８は、ＬＣＤなどの薄型の表示部（表示装置）４０８Ｄの表示画面の全面に対応するようにタッチセンサ４０８Ｓを設けて構成されたものであり、表示機能と入力機能とを実現する。従って、タッチパネル４０８の表示部にメニュー等を表示して、使用者からのタッチ入力を受け付け、その入力情報に応じた処理を制御部４０２において実行するといったことが可能にされる。また、タッチパネル４０８を通じて、出発地、目的地、必要な場合には１以上の経由地などの情報の入力も行われる。
【００６７】
音声出力処理部４０９及びスピーカ４１０は、音声メッセージなどの出力機能を実現する。従って、ナビゲーション処理の実行時には、音声出力処理部４０９及びスピーカ４１０を通じて、音声による案内メッセージなどが放音される。そして、ルート案内処理部４１２、施設情報参照部４１３が、図１に示した車載装置１のルート案内処理部１１２、施設情報参照部１１３と同様の機能を実現する。また、施設進入判別部４１４、複雑施設判別部４１５、リルート制御部４１６が、図１に示した車載装置１の施設進入判別部１１４、複雑施設判別部１１５、リルート制御部１１６と同様の機能を実現する。
【００６８】
すなわち、タッチパネル４０８を通じて、所定のメニューからナビゲーション処理の実行が指示されると、制御部４０２が機能して、ナビゲーション処理を開始する。この場合、制御部４０２は、タッチパネル４０８を通じて、出発地、目的地、必要な場合には１以上の経由地の指示入力を受け付け、受け付けた情報を含むルート探索要求を形成して提供サーバ２に送信する。
【００６９】
これに応じて、提供サーバ２においては、ルート探索を実行し、探索結果と、必要になる地図情報や道路ネットワークデータを要求元の携帯端末４に送信して来る。携帯端末４は、これらの情報を受信し、探索結果は記憶装置４０４に一時記憶し、地図情報は地図情報ＤＢ４０５に格納し、道路ネットワークデータは道路ＮＷＤＢ４０６に格納する。そして、制御部４０２の制御の下、ルート案内処理部４１２が機能し、地図を表示部４０８Ｄに表示し、当該地図上に探索されたルートと自機の現在位置とを表示する共に、音声案内をも用いて、探索されたルートを辿って、目的地に向かうようにルート案内を行う。
【００７０】
このようにルート案内を開始し、自機の現在位置が高速道路上に位置すると、施設情報参照部４１３、施設進入判別部４１４、複雑施設判別部４１５、リルート制御部４１６が機能する。まず、施設情報参照部４１３が機能して、地図情報ＤＢ４０５の現在位置近傍の施設の高速施設情報を参照し、記憶装置４０４に一時記憶し、即座に利用可能にしておく。
【００７１】
そして、施設進入判別部４１４が機能し、高速道路に付随するサービスエリア或いはパーキングに進入したか否かを、高速施設情報のＳＡＰＡ情報のオフルート点及び本線脱出リンクに基づいて判別する。施設進入判別部４１４においてサービスエリア或いはパーキングに進入したと判別されたとする。この場合には、複雑施設判別部４１５が機能し、対応するＳＡＰＡ情報の併設情報を参照して、進入したサービスエリア或いはパーキングは、退出ルートが複数設けられている複雑な施設か否かを判別する。
【００７２】
そして、リルート制御部４１６が機能して、複雑施設判別部４１５の判別結果に基づいて、リルート処理に関する制御を行う。例えば、複雑施設判別部４１５の判別結果が、自機が進入したサービスエリア或いはパーキングが複雑な施設ではない（単純な施設である）とするものであったとする。この場合には、（１）リルートを行わない。（２）リルートは行い、案内画面の表示も変えるが、上述したようなルートから外れた旨の音声案内は行わない。（３）リルートは行い、案内画面の表示も変えるが、「ルート外れではありません。目的地までの案内を継続します。」といった音声案内を行う。のいずれかの対応を取るように制御する。
【００７３】
また、複雑施設判別部４１５の判別結果が、自機が進入したサービスエリア或いはパーキングが複雑な施設であるとするものであったとする。この場合には、リルートを行い、案内画面の表示も変えると共に、新たに探索されたルートに応じた案内を行う。そして、新たに探索されたルートが、離脱した本線に復帰するルートである場合には、例えば、「サービスエリア（パーキングエリア）に立ち寄りました。本線への再合流のルートを案内します。」という音声案内を提供する。
【００７４】
また、新たに探索されたルートが、インターチェンジを通じて一般道へ降りるルートである場合には、「一般道を用いて目的地に向かうルートを案内します。」という音声案内を提供する。また、新たに探索されたルートが、ジャンクションを通じて他の高速道路を利用するルートである場合には、「他の高速道路を用いて目的地に向かうルートを案内します。」という音声案内を提供する。
【００７５】
なお、リルート処理を行う場合には、出発地、目的地、設定された未通過の経由地がある場合には経由地を含むリルート要求を形成し、これを提供サーバ２に送信して、提供サーバ２において、リルート処理を行い、その処理結果の提供を受けることになる。また、リルート処理を行わない場合には、特に各部を制御することなく、ルート案内を継続すればよい。
【００７６】
このように、提供サーバ２と携帯端末４とからなるナビゲーション装置の場合にも、携帯端末４において、図を用いて説明した処理を実行することができる。これにより、提供サーバ２と携帯端末４とからなるナビゲーション装置の場合にも、高速道路に併設されたサービスエリアやパーキングエリアに立ち寄った（進入した）際に、リルート処理に関する制御を適切に行うことができる。これにより、使用者を不安にさせたり、不必要な音声案内を提供したりすることがないようにできる。
【００７７】
［実施の形態の効果］
上述した実施の形態のナビゲーション装置によれば、ルート案内を行っている場合に、自機が搭載されている自動車が移動している高速道路に併設された、サービスエリアやパーキングエリアに立ち寄った（進入した）際に、リルートに関する制御を適切に行える。これにより、不必要なリルート処理を行ったり、また、不必要な音声案内を行ったりすることがないようにできる。これにより、使用者が不安になることを防止することができる。また、リルート処理に関し、提供してもあまり意味のないような音声案内を提供することも防止できる。
【００７８】
具体的には、単純なサービスエリアやパーキングエリアでは、リルート処理を行わないようにしたり、リルート処理は行い、画面表示も変更するようにが、音声案内では「ルートから外れました。」といった内容の不安要素のある案内は行わないようにしたりできる。また、複雑なサービスエリアやパーキングエリアでは、リルート処理は行い、画面表示も変更するが、やはり、「ルートから外れました。」という音声案内は行わないようにできる。この場合には、「サービスエリア（パーキングエリア）に立ち寄りました。目的地までの経路にリルートします。」といった、使用者の不安を煽らないような文言の音声案内を行うようにできる。
【００７９】
［変形例］
上述した実施の形態では、サービスエリアやパーキングエリアに進入したか否かの判別は、サービスエリアやパーキングエリアのオフルート点を通過し、オフルート点から本線脱出リンクを所定距離走行した場合に、当該施設に進入したと判別した。しかし、これに限るものではない。サービスエリアやパーキングエリアの位置及び範囲は、地図上において特定できる。このため、自機が搭載された自動車の現在位置（自機の現在位置）が、サービスエリアやパーキングエリアの範囲に属する場合には、当該サービスエリアやパーキングエリアに進入したと判別するようにしてもよい。
【００８０】
また、図６を用いて説明した提供サーバ２と携帯端末４とからなりナビゲーション装置の場合には、提供サーバ２が地図情報ＤＢ２０４、道路ＮＷＤＢ２０５を備えていたがこれに限るものではない。地図情報ＤＢ２０４、道路ＮＷＤＢ２０５は、他のサーバ装置が備えるものを用いるようにすることができる。すなわち、提供サーバ２側の機能は、種々の態様のクラウドシステムとして構築することができる。
【００８１】
［その他］
上述した実施の形態の説明からも分かるように、請求項のナビゲーション装置の参照手段の機能は、実施の形態の車載装置１の施設情報参照部１１３が実現している。また。請求項のナビゲーション装置の進入判別手段の機能は、車載装置１の施設進入判別部１１４が実現し、請求項のナビゲーション装置の施設判別手段の機能は、車載装置１の複雑施設判別部１１５が実現している。また、請求項のナビゲーション装置のリルート制御手段の機能は、車載装置１のリルート制御部１１６が実現している。
【００８２】
また、図５のフローチャートを用いて説明した処理を行う方法が、この発明によるナビゲーション方法の一実施の形態が適用されたものである。また、図５のフローチャートを用いて説明した処理を行うプログラムが、この発明によるナビゲーションプログラムの一実施の形態が適用されたものである。すなわち、図１に示した、施設情報参照部１１３、施設進入判別部１１４、複雑施設判別部１１５、リルート制御部１１６の各部の機能は、制御部１０２において実行されるプログラム（ソフトウェア）により、制御部１０２の機能として実現することもできる。
【符号の説明】
【００８３】
１…車載装置（車載用ナビゲーション装置）、１０１Ａ…交通情報受信アンテナ、１０１…交通情報受信部、１０２…制御部、１０３…操作部、１０４…記憶装置、１０５…地図情報ＤＢ、１０６…道路ＮＷＤＢ、１０７Ａ…ＧＰＳアンテナ、１０７…ＧＰＳ部、１０８…タッチパネル、１０８Ｄ…表示部、１０８Ｓ…タッチセンサ、１０９…音声出力処理部、１１０…スピーカ、１１１…ルート探索部、１１２…ルート案内処理部、１１３…施設情報参照部、１１４…施設進入判別部、１１５…複雑施設判別部、１１６…リルート制御部、２…ルート情報提供サーバ装置、２０１Ｔ…接続端、２０１…通信Ｉ／Ｆ、２０２…制御部、２０３…記憶装置、２０４…地図情報ＤＢ、２０５…道路ＮＷＤＢ、２０６…要求取得部、２０７…ルート探索部、２０８…情報提供部、３…ネットワーク、３Ｂ（１）、３Ｂ（２）…基地局又はアクセスポイント、４…携帯端末、４０１Ａ…送受信ンアンテナ、４０１…無線通信部、４０２…制御部、４０３…操作部、４０４…記憶装置、４０５…地図情報ＤＢ、４０６…道路ＮＷＤＢ、４０７Ａ…ＧＰＳアンテナ、４０７…ＧＰＳ部、４０８…タッチパネル、４０８Ｄ…表示部、４０８Ｓ…タッチセンサ、４０９…音声出力処理部、４１０…スピーカ、４１２…ルート案内処理部、４１３…施設情報参照部、４１４…施設進入判別部、４１５…複雑施設判別部、４１６…リルート制御部
【図１】
2020112482.tif 000003
【図２】
2020112482.tif 000004
【図３】
2020112482.tif 000005
【図４】
2020112482.tif 000006
【図５】
2020112482.tif 000007
【図６】
2020112482.tif 000008
【図７】
2020112482.tif 000009